(57)【要約】      （修正有）【課題】ＶＣＲ駆動情報に異常が発生した場合、ＶＣＲワンチップ自体を入れ替なくて簡単にＶＣＲ駆動情報を補償できるＤＶＤＰ／ＶＣＲコンビネーションシステム及びその駆動情報補償方法を提供する。【解決手段】ＤＶＤＰ部２２０及びＶＣＲ部２０５各々のシングルワンチップ２２３，２１４に駆動情報保存部２２３ａ，２１４ａが具備されている。この駆動情報保存部２２３ａ，２１４ａの情報に基づいてＤＶＤＰ、ＶＣＲが制御される。ＶＣＲ部２０５にはＤＶＤから読み出された修正情報を記憶する修正情報保存部２１５が設けられておりＶＣＲ駆動情報に異常が発生した場合、修正情報保存部２１５に記憶されている情報に基づいてＶＣＲを駆動する事により正常な動作が可能となる。【選択図】図２
2005056546.tif 000002
【特許請求の範囲】
【請求項１】
第１の機器及び第２の機器の各々にワンチップを備え、前記各々のワンチップには第１の機器駆動情報保存部及び第２の機器駆動情報保存部を備え、前記第１の機器駆動情報保存部及び前記第２の機器駆動情報保存部の各々に保存された第１の機器駆動情報及び第２の機器駆動情報によって、前記第１の機器及び前記第２の機器を各々制御するコンビネーションシステムにおいて、
前記第１の機器に着脱自在に挿入された記録媒体から前記第１の機器駆動情報及び／または前記第２の機器駆動情報を補償するための修正情報を読出するデッキ部と、
読出された前記修正情報のうち、第２の機器修正情報を受信して保存する第２の機器修正情報保存部と、
前記第２機器駆動情報による駆動からの前記第２の機器修正情報による駆動で切り替えるための転換信号を入力する転換信号入力部と、
前記転換信号入力部を通じて前記転換信号が受信されると、前記第２の機器修正情報保存部に保存された前記第２の機器修正情報に切り替えて前記第２の機器を制御する第２の機器制御部とを含むことを特徴とするコンビネーションシステム。
【請求項２】
第１の機器修正情報領域及び第２の機器修正情報領域を備え、前記デッキ部により読出された前記修正情報を第１の機器修正情報及び前記第２の機器修正情報で分けて保存する領域分離保存部と、
前記領域分離の保存部に保存された前記修正情報のうち、前記第２の機器修正情報の有無を検索し、検索された前記第２の機器修正情報を前記第２の機器修正情報の保存部に伝送する第１の機器制御部をさらに含むことを特徴とする請求項１に記載のコンビネーションシステム。
【請求項３】
前記コンビネーションシステムのリセットを検知するリセット検知部をさらに含み、
前記第１の機器制御部は、前記リセット検知部によって前記コンビネーションシステムのリセットが検知された場合に前記第２の機器修正情報を前記第２の機器修正情報保存部に伝送することを特徴とする請求項２に記載のコンビネーションシステム。
【請求項４】
前記第２の機器駆動情報の保存部に保存された前記第２の機器駆動情報を表示するディスプレイと、
前記ディスプレイに表示された前記第２の機器駆動情報に対して前記第２の機器修正情報の保存部に保存された前記第の２機器修正情報に切り替わる区間を設定する転換区間設定部とをさらに含み、
前記第２の機器制御部は、受信された前記転換信号に対応して設定された前記転換区間の間、前記第２の機器修正情報の保存部に保存された前記第２の機器修正情報で前記第２の機器を制御することを特徴とする請求項３に記載のコンビネーションシステム。
【請求項５】
設定された前記転換区間のアドレスと一致される前記第２の機器修正情報のアドレスを検索するアドレス検索部をさらに含み、
前記第２の機器制御部は、前記アドレス検索部によって検索された前記第２の機器修正情報のアドレスに基づいて前記転換区間に対応する区間の前記第２の機器修正情報で前記第２機器を制御することを特徴とする請求項４に記載のコンビネーションシステム。
【請求項６】
前記第２の機器制御部は、前記転換区間に対応する区間の前記第２の機器修正情報による前記第２の機器の制御が終了されると、前記転換区間の終了アドレスからつながる前記第２の機器駆動情報によって前記第２の機器を制御することを特徴とする請求項５に記載のコンビネーションシステム。
【請求項７】
前記第１の機器は、ＤＶＤＰであり、前記第２の機器は、ＶＣＲであることを特徴とする請求項６に記載のコンビネーションシステム。
【請求項８】
第１の機器及び第２の機器の各々にワンチップを備え、前記各々のワンチップには第１の機器駆動情報の保存部及び第２の機器駆動情報の保存部を備え、前記第１の機器駆動情報の保存部及び前記第２の機器駆動情報の保存部の各々に保存された第１の機器駆動情報及び第２の機器駆動情報によって前記第１の機器及び前記第２の機器を各々制御するコンビネーションシステムの駆動情報の補償方法において、
前記第１の機器に着脱自在に挿入された記録媒体から前記第１の機器駆動情報及び／または前記第２の機器駆動情報を補償するための修正情報を読出する段階と、
読出された前記修正情報のうち、第２の機器修正情報を受信して第２の機器修正情報保存部に保存する段階と、
転換信号入力部を通じて前記第２の機器駆動情報による駆動から前記第２の機器修正情報による駆動で切り替えるための転換信号を入力する段階と、
前記転換信号の入力部を通じて前記転換信号が受信されると、前記第２の機器修正情報の保存部に保存された前記第２の機器修正情報に切り替えて前記第２の機器を制御する段階とを含むことを特徴とするコンビネーションシステムの駆動情報の補償方法。
【請求項９】
読出された前記修正情報を第１の機器修正情報及び前記第２の機器修正情報で分けて領域分離保存部に保存する段階と、
前記領域分離保存部に保存された前記修正情報のうち、前記第２の機器修正情報の有無を検索して、検索された前記第２の機器修正情報を前記第２の機器修正情報保存部に伝送する段階とをさらに含むことを特徴とする請求項８に記載のコンビネーションシステムの駆動情報の補償方法。
【請求項１０】
前記コンビネーションシステムのリセットを検知する段階をさらに含み、
前記第２の機器修正情報の伝送段階は、前記リセット検知段階によって前記コンビネーションシステムのリセットが検知される場合に前記第２の機器修正情報を前記第２の機器修正情報保存部に伝送することを特徴とする請求項９に記載のコンビネーションシステムの駆動情報の補償方法。
【請求項１１】
前記第２の機器駆動情報の保存部に保存された前記第２の機器駆動情報を表示する段階と、
前記表示段階によって表示された前記第２の機器駆動情報に対して前記第２の機器修正情報保存部に保存された前記第２の機器修正情報で切り替わる区間を設定する段階とをさらに含み、
前記第２の機器制御段階は、受信された前記転換信号に対応して設定された前記転換区間の間前記第２の機器修正情報の保存部に保存された前記第２の機器修正情報で前記第２の機器を制御することを特徴とする請求項１０に記載のコンビネーションシステムの駆動情報の補償方法。
【請求項１２】
設定された前記転換区間のアドレスと一致される前記第２の機器修正情報のアドレスを検索する段階をさらに含み、
前記第２の機器制御段階は、前記アドレス検索段階によって検索された前記第２の機器修正情報のアドレスに基づいて前記転換区間に対応する区間の前記第２の機器修正情報で前記第２の機器を制御することを特徴とする請求項１１に記載のコンビネーションシステムの駆動情報の補償方法。
【請求項１３】
前記第２の機器制御段階は、前記転換区間に対応する区間の前記第２の機器修正情報による前記第２の機器の制御が終了されると、前記転換区間の終了アドレスからつながる前記第２の機器駆動情報によって前記第２の機器を制御することを特徴とする請求項１２に記載のコンビネーションシステムの駆動情報の補償方法。
【請求項１４】
前記第１の機器は、ＤＶＤＰであり、前記第２の機器は、ＶＣＲであることを特徴とする請求項１３に記載のコンビネーションシステムの駆動情報の補償方法。
【発明の詳細な説明】
【技術分野】
【０００１】
本発明はシングルワンチップを使うコンビネーションシステム及びその駆動情報の補償方法に係り、より詳しくは、コンビネーションシステムのシングルワンチップに保存された駆動情報に異常が発生された場合、簡単に駆動情報を補償できるコンビネーションシステム及びその駆動情報の補償方法に関する。
【背景技術】
【０００２】
一つのＩＣ内にＣＰＵ、ＲＡＭ、ＲＯＭ、タイマー、Ａ／Ｄ変換器などの機能が入っている半導体をシングルワンチップまたはワンチップと称する（以下、ワンチップと言う）。
【０００３】
このようなワンチップは個別部品を使って構成した回路に比べて周辺部品を簡素化させれるだけではなくて性能はもっと伸ばしたから小型軽量化のために必須核心部品で愛用されている。ワンチップが使用された電子機器としては電子レンジ、洗濯機、ＶＴＲ、ＤＶＤＰ／ＶＣＲコンビネーションシステムなどがある。
【０００４】
図１は、従来のＤＶＤＰ／ＶＣＲコンビネーションシステムを概略的に示すブロック図である。図面を参照すると、ＤＶＤＰ／ＶＣＲコンボシステム１００は、一般的なＶＣＲの機能を実行するＶＣＲ部１１０、一般的なＤＶＤＰの機能を実行するＤＶＤＰ部１２０、ＶＣＲ部１１０とＤＶＤＰ部１２０から出力される信号に対する選択動作を実行する選択部１３０、キャムコーダーなどのような外部機器から入力される信号を選択部１３０に提供する入力部１４０、ＶＣＲ部１１０とＤＶＤＰ部１２０から出力される信号をＴＶまたはアンプなどのような周辺装置に提供する出力部１５０、及びＶＣＲ部１１０とＤＶＤＰ部１２０から出力される映像信号にＯＳＤ（オンスクリーンディスプレイ）機能を付加するＯＳＤブロック１６０などを備えている。
【０００５】
ＶＣＲ部１１０は、磁気テープに信号を記録したり磁気テープに記録された信号を再生するＶＣＲデッキ１１１、ＶＣＲデッキ１１１に対して記録されるまたは再生されるビデオ及びオーディオ信号を処理するビデオブロック１１２及びオーディオブロック１１３、ＶＣＲデッキ１１１とビデオブロック１１２及びオーディオブロック１１３の全般的な動作を制御するＶＣＲワンチップ１１４を備える。ここで、ＶＣＲワンチップ１１４はＶＣＲ部１１０の各々の構成要素を制御するための駆動情報、即ち、ＶＣＲ部１１０制御用プログラムを保存するＶＣＲ駆動情報の保存部１１４ａ、及びＶＣＲ駆動情報の保存部１１４ａに保存された駆動情報によってＶＣＲ部１１０の各々の構成要素を制御するＶＣＲ制御部１１４ｂを含む。また、ＶＣＲ部１１０は、その動作と制御及びモードなどのような状態をユーザーが知られるように外部に表示するディスプレイ１１６、ユーザーから各種命令の入力を受けるための操作パネル１１７、及びリモコン１８０を通じてユーザーから各種命令の入力を受けるためのリモコンセンサー１１８などを備えている。
【０００６】
ＤＶＤＰ部１２０はＤＶＤデッキ１２１、ＤＶＤサーボＢ１２２、ＤＶＤワンチップ１２３、ＭＰＥＧディコーダー１２４、ＤＶＤＰ修正情報保存部１２５などを備える。また、ＤＶＤワンチップ１２３はＤＶＤＰ駆動情報保存部１２３ａ及びＤＶＤＰ制御部１２３ｂを含む。
【０００７】
ＤＶＤデッキ１２１はＤＶＤに対する再生動作を実行するためにＤＶＤに記録されたデータを読む動作をし、ＤＶＤサーボ１２２はＤＶＤデッキ１２１の位置制御及び速度制御などを実行する。また、ＤＶＤデッキ１２１はＤＶＤＰ／ＶＣＲコンビネーションシステムが出荷された後にＤＶＤＰ駆動情報の保存部１２３ａに保存されたＤＶＤＰ駆動情報に異常が見つかった場合、ＤＶＤＰ駆動情報を補償するためのＤＶＤＰ修正情報が記録された記録媒体、即ち、ＤＶＤからＤＶＤＰ修正情報を読出する。
【０００８】
ＭＰＥＧディコーダー１２４は、ＤＶＤ制御部１２３を通じてＤＶＤデッキ１２１が読んだデータを受領してＤＶＤ映像データとＤＶＤ音響データとを出力する。ＤＶＤＰ駆動情報の保存部１２３ａは、ＤＶＤＰ部１２０を制御するための駆動情報を保存する。ＤＶＤ制御部１２３は、ＤＶＤＰ駆動情報の保存部１２３ａに保存されたＤＶＤＰ駆動情報を読出しＤＶＤＰ部１２０のＤＶＤデッキ１２１、ＤＶＤサーボ１２２、及びＭＰＥＧディコーダー１２４の全体的な動作を制御する。ＤＶＤＰ修正情報の保存部１２５は、ＤＶＤＰ駆動情報の保存部１２３ａに保存されたＤＶＤＰ駆動情報に異常が発生された場合、ＤＶＤデッキ１２１によって読出されたＤＶＤＰ修正情報を保存する。ここで、ＤＶＤＰ修正情報の保存部１２５は、ＤＶＤＰ駆動情報の保存部１２３ａがＤＶＤＰワンチップ１２３の内部に備わったこととは別にＤＶＤＰワンチップ１２３と別に独立的に設置される。また、ＤＶＤＰ修正情報の保存部１２５は既存の保存されたデータを取り消して新しいデータのアップロードが可能なＥＥＰＲＯＭまたはフラッシュロムで具現される。ＤＶＤＰ／ＶＣＲコンビネーションシステムの製品が出荷された後にＤＶＤＰ駆動情報保存部１２３ａに保存されたＤＶＤＰ駆動情報の異常が見つかった場合、ＤＶＤＰ制御部１２３ｂはＤＶＤＰ修正情報保存部１２５に保存されたＤＶＤＰ修正情報によってＤＶＤＰ部１２０を制御することによって、傷ついたＤＶＤＰ駆動情報を補償できるようになる。
【０００９】
選択部１３０には、ＭＰＥＧディコーダー１２４の出力、ビデオブロック１１２とオーディオブロック１１３の出力、及び入力部１４０からの信号などが入力される。選択部１３０はＶＣＲ制御部１１４及びＤＶＤ制御部１２３によって制御されて入力された信号に対する選択動作をし、選択部１３０の出力はＯＳＤブロック１６０及び出力部１５０に入力される。
【００１０】
ＯＳＤブロック１６０は選択部１３０から入力された信号にＯＳＤ機能を付加する機能をする。従って、ＤＶＤＰ部１２０及びＶＣＲ部１１０の動作制御のための動作パターンメニュー及びそのような動作パターンの設定のためのメニューのようなＴＶ画面に出力される映像に付加する映像はＯＳＤブロック１６０によって作られる。
【００１１】
出力部１５０はＤＶＤエンコーダ１２４、選択部１３０、及びＯＳＤブロック１６０から信号を受信してＤＶＤ映像、ＤＶＤ音響、ＶＣＲ映像、及びＶＣＲ音響に関する信号を出力する。出力部１５０にはＴＶまたは音響機器などのような周辺装置がつながり、これによって周辺装置では映像と音響が出力される。
【００１２】
入力部１４０は選択部１３０につながっていて、外部から入力される信号を選択部１３０に伝える機能をする。キャムコーダーなどのような外部機器の信号出力端子は入力部１４０につながる。従って、外部機器に記録されている信号は入力部１４０を通じてコンボシステム１００に伝送でき、またこれをＶＣＲ部１１０を利用して磁気テープに記録したりＴＶを通じて再生できる。
【００１３】
ところが、従来の技術によるＤＶＤＰ／ＶＣＲコンビネーションシステムは製品が出荷された後にＤＶＤＰ駆動情報の異常が見つかった場合にはＤＶＤＰ修正情報が記録されたＤＶＤからＤＶＤＰ修正情報を読出してＤＶＤＰ駆動情報を補償できたが、ＤＶＤＰ／ＶＣＲコンビネーションシステムのＶＣＲワンチップ１１４内のＶＣＲ駆動情報に異常が見つかった場合には磁気記録媒体であるＶＣＲからＶＣＲ修正情報を読出してＶＣＲ駆動情報を補償することは不可能だから製品のセットを開封した後、各々のパートを分解しＶＣＲワンチップ１１４を入れ替わなければならない不便があった。また、ＤＶＤＰ／ＶＣＲコンビネーションシステムの製品の出荷された後にＶＣＲワンチップ内に保存されたＶＣＲ駆動情報だけに異常があって、ワンチップのほかの機能は正常に動作する場合にもワンチップ自体を入れ替わないといけないから費用の損失が発生し、ワンチップの交替による時間上の損失も発生する問題点があった。
【発明の開示】
【発明が解決しようとする課題】
【００１４】
本発明は前記のような問題点を解決するために案出されたもので、その目的は、ＤＶＤＰ／ＶＣＲコンビネーションシステムのＶＣＲワンチップ内に保存されたＶＣＲ駆動情報に異常が発生された場合、ＶＣＲワンチップ自体を入れ替なくて簡単にＶＣＲ駆動情報を補償できるＤＶＤＰ／ＶＣＲコンビネーションシステム及びその駆動情報の補償方法を提供することにある。
【課題を解決するための手段】
【００１５】
前記の目的を達成するための本発明によるコンビネーションシステムは、第１の機器及び第２の機器の各々にワンチップを備え、各々の前記ワンチップには第１の機器駆動情報保存部及び第２の機器駆動情報保存部を備え、前記第１の機器駆動情報保存部及び前記第２の機器駆動情報保存部の各々に保存された第１の機器駆動情報及び第２の機器駆動情報によって前記第１の機器及び前記第２の機器を各々制御するコンビネーションシステムにおいて、前記第１の機器に着脱自在に挿入された記録媒体から前記第１の機器駆動情報及び／または前記第２の機器駆動情報を補償するための修正情報を読出するデッキ部、読出された前記修正情報のうち、第２の機器修正情報を受信して保存する第２の機器修正情報保存部、前記第２の機器駆動情報による駆動から前記第２の機器修正情報による駆動に切り替えるための転換信号を入力する転換信号入力部、及び前記転換信号入力部を通じて前記転換信号が受信されると、前記第２の機器修正情報の保存部に保存された前記第２の機器修正情報に切り替えて前記第２の機器を制御する第２の機器制御部を含むことを特徴とする。
【００１６】
好ましくは、コンビネーションシステムは、第１の機器修正情報領域及び第２の機器修正情報領域を備え、前記デッキ部によって読出された前記修正情報を第１の機器修正情報及び前記第２の機器修正情報で分けて保存する領域分離保存部、及び前記領域の分離保存部に保存された前記修正情報のうち、前記第２の機器修正情報の有無を検索し、検索された前記第２の機器修正情報を前記第２の機器修正情報の保存部に伝送する第１の機器制御部を含む。
【００１７】
好ましくは、前記コンビネーションシステムのリセットを検知するリセット検知部を含む。ここで、前記第１の機器制御部は前記リセット検知部によって前記コンビネーションシステムのリセットが検知された場合に前記第２の機器修正情報を前記第２の機器修正情報保存部に伝送する。
【００１８】
好ましくは、コンビネーションシステムは、前記第２の機器駆動情報保存部に保存された前記第２の機器駆動情報を表示するディスプレイ、及び前記ディスプレイに表示された前記第２の機器駆動情報に対して前記第２の機器修正情報保存部に保存された前記第２の機器修正情報で切り替わる区間を設定する転換区間設定部を含む。ここで、前記第２の機器制御部は受信された前記転換信号に対応して設定された前記転換区間の間、前記第２の機器修正情報保存部に保存された前記第２の機器修正情報で前記第２の機器を制御する。
【００１９】
好ましくは、前記コンビネーションシステムは、設定された前記転換区間のアドレスと一致される前記第２の機器修正情報のアドレスを検索するアドレス検索部を含む。ここで、前記第２の機器制御部は前記アドレス検索部によって検索された前記第２の機器修正情報のアドレスに基づいて前記転換区間に対応する区間の前記第２の機器修正情報で前記第２の機器を制御する。
【００２０】
また、前記第２の機器制御部は前記転換区間に対応する区間の前記第２の機器修正情報による前記第２の機器の制御が終了されると、前記転換区間の終了アドレスからつながる前記第２の機器駆動情報によって前記第２の機器を制御するのが望ましい。ここで、前記第１の機器はＤＶＤＰ（デジタル  ビデオ  ディスクプレーヤ）であり、前記第２の機器はＶＣＲで具現される。
【００２１】
一方、本発明によるコンビネーションシステムは、第１の機器及び第２の機器の各々にワンチップを備え、各々の前記ワンチップには第１の機器駆動情報保存部及び第２の機器駆動情報保存部を備え、前記第１の機器駆動情報の保存部及び前記第２の機器駆動情報の保存部の各々に保存された第１の機器駆動情報及び第２の機器駆動情報によって前記第１の機器及び前記第２の機器を各々制御するコンビネーションシステムの駆動情報の補償方法において、前記第１の機器に着脱出自在に挿入された記録媒体から第１の機器駆動情報及び／または第２の機器駆動情報を補償するための修正情報を読出する段階、読出された前記修正情報のうち、第２の機器修正情報を受信して第２の機器修正情報保存部に保存する段階、転換信号入力部を通じて前記第２の機器駆動情報による駆動から前記第２の機器修正情報による駆動で切り替えるための転換信号を入力する段階、及び前記転換信号入力部を通じて前記転換信号が受信されると前記第２の機器修正情報保存部に保存された前記第２の機器修正情報で切り替えて前記第２の機器を制御する段階を含むコンビネーションシステムの駆動情報補償方法を提供する。
【００２２】
好ましくは、前記コンビネーションシステムの駆動情報補償方法は、読出されて前記修正情報を第１の機器修正情報及び前記第２の機器修正情報で分けて領域分離保存部に保存する段階、及び前記第１の機器修正情報保存部に保存された前記修正情報のうち、前記第２の機器修正情報の有無を検索し、検索された前記第２の機器修正情報を前記第２の機器修正情報保存部に伝送する段階を含む。
【００２３】
好ましくは、前記コンビネーションシステムの駆動情報の補償方法は、前記コンビネーションシステムのリセットを検知する段階を含む。ここで、前記第２の機器修正情報の伝送段階は前記リセット検知段階によって前記コンビネーションシステムのリセットが検知された場合に前記第２の機器修正情報を前記第２の機器修正情報保存部に伝送する。
【００２４】
好ましくは、前記コンビネーションシステムの駆動情報補償方法は、前記第２の機器駆動情報保存部に保存された前記第２の機器駆動情報を表示する段階、及び前記表示段階によって表示された前記第２の機器駆動情報に対して前記第２の機器修正情報保存部に保存された前記第２の機器修正情報で切り替わる区間を設定する段階を含む。ここで、前記第２の機器制御段階は受信された前記転換信号に対応して設定された前記転換区間の間、前記第２の機器修正情報保存部に保存された前記第２の機器修正情報で前記第２機器を制御する。
【００２５】
好ましくは、前記コンビネーションシステムの駆動情報補償方法は、設定された前記転換区間のアドレスと一致される前記第２の機器修正情報のアドレスを検索する段階を含む。ここで、前記第２の機器制御段階は前記アドレス検索段階によって検索された前記第２の機器修正情報のアドレスに基づいて前記転換区間に対応する区間の前記第２の機器修正情報で前記第２の機器を制御する。
【００２６】
また、前記第２の機器制御段階は前記転換区間に対応する区間の前記第２の機器修正情報による前記第２の機器の制御が終了されると、前記転換区間の終了アドレスからつながる前記第２の機器駆動情報によって前記第２の機器を制御するのが望ましい。
【発明の効果】
【００２７】
本発明によると、ＤＶＤＰ／ＶＣＲコンビネーションシステムにおいて、ＶＣＲワンチップ内に保存された駆動情報に異常が発生された場合、ＶＣＲワンチップ自体を入れ替なしに簡単な手続きによって駆動情報を補償できるようになるから部品の交替にかかる費用だけでなく、駆動情報を修正する時間も低減できるようになる。
【発明を実施するための最良の形態】
【００２８】
以下、添付された図面を参照して本発明について詳しく説明する。
【実施例】
【００２９】
図２は、本発明によるコンビネーションシステムの実施例を概略的に示すブロック図である。以下、本発明によるコンビネーションシステムは第１の機器に当たるＤＶＤＰ、及び第２の機器に当たるＶＣＲで構成されたＤＶＤＰ／ＶＣＲコンビネーションシステムを実施例として説明する。図面を参照すると、ＤＶＤＰ／ＶＣＲコンビネーションシステムは、ＶＣＲの機能を実行するＶＣＲ部２０５、一般的なＤＶＤＰの機能を実行するＤＶＤＰ部２２０、ＶＣＲ部２０５とＤＶＤＰ部２２０から出力される信号に対して選択動作を実行する選択部２３０、キャムコーダーなどのように外部機器から入力される信号を選択部２３０に提供する入力部２４０、ＶＣＲ部２０５とＤＶＤＰ部２２０から出力される信号をＴＶまたはアンプなどのような周辺装置に提供する出力部２５０、及びＶＣＲ部２０５とＤＶＤＰ部２２０から出力される映像信号にＯＳＤ機能を付加するＯＳＤブロック２６０などを備える。
【００３０】
ＶＣＲ部２０５は転換信号入力部２１０、ＶＣＲデッキ部２１１、ビデオブロック２１２、オーディオブロック２１３、ＶＣＲワンチップ２１４、ＶＣＲ修正情報保存部２１５、ディスプレイ２１６、操作パネル２１７、リモコンセンサー２１７、及び転換区間設定部２１９を備える。また、ＶＣＲワンチップ２１４はＶＣＲ駆動情報保存部２１４ａ、ＶＣＲ制御部２１４ｂ、及びアドレス検索部２１４ｃを備える。
【００３１】
ＤＶＤＰ部２２０はＤＶＤデッキ部２２１、ＤＶＤサーボ２２２、ＤＶＤワンチップ２２３、ＭＰＥＧディコーダー２２４、及び領域分離保存部２２５を備える。また、ＤＶＤＰワンチップ２２３はＤＶＤＰ駆動情報保存部２２３ａ及びＤＶＤＰ制御部２２３ｂを備える。
【００３２】
ここで、ＶＣＲデッキ部２１１、ビデオブロック２１２、オーディオブロック２１３、操作パネル２１７、リモコンセンサー２１７、選択部２３０、出力部２５０、入力部２４０、ＯＳＤブロック２６０、ＤＶＤサーボ２２２、及びＭＰＥＧディコーダー２２４の構成及び作用は詳述したことと同一だからその説明を略する。
【００３３】
転換信号入力部２１０はＶＣＲ駆動情報保存部２１４ａに保存された駆動情報によるＶＣＲ部２０５の制御からＶＣＲ修正情報保存部２１５に保存された修正情報によるＶＣＲ部２０５の制御に切り替わるための転換信号を入力する。
【００３４】
ＶＣＲ駆動情報保存部２１４ａはＶＣＲワンチップ２１４の内部に備えられ、ＶＣＲ部２０５を駆動するための駆動情報、即ち、ＤＶＤＰ／ＶＣＲコンビネーションシステムのＶＣＲ部２０５制御用プログラムを保存する  。ここで、ＶＣＲ駆動情報保存部２１４ａはＤＶＤＰ／ＶＣＲコンビネーションシステムの操作者によって修正が可能な所定の領域を備え、その割当された領域には特定のアドレスが付与されるのが望ましい。
【００３５】
ＶＣＲ制御部２１４ｂは転換信号入力部２１０を通じて転換信号が受信された場合、ＶＣＲ修正情報保存部２１５に保存されたＶＣＲ修正情報に切り替えてＶＣＲ部２０５を制御する。
【００３６】
アドレス検索部２１４ｃはＶＣＲ駆動情報保存部２１４ｂに保存されたＶＣＲ駆動情報からＶＣＲ修正情報保存部２１５に保存されたＶＣＲ修正情報に切り替えてＶＣＲ部２０５を制御する場合、切り替えようとするＶＣＲ駆動情報の区間と一致されるＶＣＲ修正情報の区間を検索する。
【００３７】
ＶＣＲ修正情報保存部２１５はＶＣＲ駆動情報保存部２１４ａに保存されたＶＣＲ駆動情報に異常がある場合、ＶＣＲ駆動情報を補償するための修正情報が保存される。ＶＣＲ駆動情報保存部２１４ａがＶＣＲワンチップ２１４の内部に備わったこととは別に、ＶＣＲ修正情報保存部２１５はＶＣＲワンチップ２１４と独立的に設置されることが望ましい。また、ＶＣＲ修正情報保存部２１５は既存のデータを取り消して新しいデータのアップロードが可能なＥＥＰＲＯＭまたはフラッシュロムで具現されることが望ましい。
【００３８】
ディスプレイ２１６はＶＣＲ駆動情報保存部２１４ａに保存されたＶＣＲ駆動情報またはＤＶＤＰ駆動情報保存部２２３ａに保存されたＤＶＤＰ駆動情報を表示する。ディスプレイ２１６による駆動情報の表示はＶＣＲ部２０５またはＤＶＤＰ部２２０の駆動時に実行されたり、ユーザーの駆動情報表示命令によって実行されるのもできる。ＤＶＤＰ／ＶＣＲコンボシステムの操作者はディスプレイ２１６に表示されたＶＣＲ駆動情報またはＤＶＤＰ駆動情報の修正区間を指定できる。以下では、ユーザーによって指定されたＶＣＲ駆動情報またはＤＶＤＰ駆動情報の修正区間はＶＣＲ駆動情報またはＤＶＤＰ駆動情報からＶＣＲ修正情報またはＤＶＤＰ修正情報で切り替えるための区間を意味するから‘転換区間’と称する。また、ＤＶＤＰ駆動情報に異常が発生された場合は従来のＤＶＤＰ／ＶＣＲコンビネーションシステムで使用される技術と同一の技術が使用されるからその説明を略して、従来の技術より改善されたＶＣＲ駆動情報の補償に関して説明する。
【００３９】
転換区間設定部２１９はディスプレイ２１６に表示されたＶＣＲ駆動情報に対してＶＣＲ修正情報保存部２１５に保存されたＶＣＲ修正情報に切り替わる転換区間を設定する。この場合、転換区間設定部２１９はディスプレイ２１６に表示されたＶＣＲ駆動情報の修正しようとする領域の開始アドレスと終了アドレスを指定して転換区間を設定する。ここで、ＤＶＤＰ／ＶＣＲコンビネーションシステムの操作者がＶＣＲ駆動情報の転換区間を指定する代わりにＶＣＲ駆動情報に修正領域を割り当てて、転換区間設定部２１９はＶＣＲ駆動情報の修正領域に対応されるＶＣＲ修正情報の領域のアドレスを自動的に指定するように具現されることもできる。
【００４０】
ＤＶＤＰ／ＶＣＲコンビネーションシステムが出荷された後にＤＶＤＰ／ＶＣＲコンビネーションシステムの操作者がＶＣＲ駆動情報保存部２１４ａに保存されたＶＣＲ駆動情報またはＤＶＤＰ駆動情報保存部２２３ａに保存されたＤＶＤＰ駆動情報を補償しようとする場合、ＤＶＤＰ／ＶＣＲコンビネーションシステムの操作者は補償しようとするＶＣＲ修正情報及び／またはＤＶＤＰ修正情報をＤＶＤに記録してＤＶＤＰ／ＶＣＲコンビネーションシステムのＤＶＤデッキ部２２１に差し込む。ＤＶＤデッキ部２２１はＤＶＤからＤＶＤＰ駆動情報またはＶＣＲ駆動情報を補償するためのＶＣＲ修正情報またはＤＶＤＰ修正情報を読出し、読出された修正情報を領域分離保存部２２５に保存する。
【００４１】
領域分離保存部２２５はＤＶＤから読出された修正情報のうち、ＶＣＲ修正情報を保存するためのＶＣＲ修正情報領域及びＤＶＤＰ修正情報を保存するためのＤＶＤＰ修正情報領域を備える。この時、領域分離保存部２２５はＤＶＤＰ駆動情報保存部２２３ａがＤＶＤＰワンチップ２２３の内部に備わることとは別にＤＶＤＰワンチップ２２３と独立的に設置されることが望ましい。また、領域分離保存部２２５は既存の保存されたデータを取り消して新しいデータをアップロードできるようにＥＥＰＲＯＭまたはフラッシュロムで具現されることが望ましい。以下では、領域分離保存部２２５はＶＣＲ部２０５のＶＣＲ受信情報保存部２１４ａと区分するために‘ＤＶＤＰ修正情報保存部’と称する。
【００４２】
リセット検知部２２６はＤＶＤＰ／ＶＣＲコンビネーションシステムのリセットを検知する。ＤＶＤＰ／ＶＣＲコンビネーションシステムがリセットされる場合、リセット検知部２２６はＤＶＤＰ制御部２２３ｂにリセット検知信号を伝送してＤＶＤＰ／ＶＣＲコンビネーションシステムにリセットが発生したことを知らせる。リセット検知部２２６によってリセット検知信号が受信されると、ＤＶＤＰ制御部２２３ｂは領域分離保存部２２５のＶＣＲ修正情報領域に保存されたＶＣＲ修正情報をＶＣＲ修正情報保存部２１５に伝送してＶＣＲ修正情報保存部２１５に保存されたＶＣＲ修正情報がアップロードできるようにする。
【００４３】
ここで、第１の機器はＤＶＤＰであり、第２の機器はＶＣＲであることと説明したが、本発明による第１の機器及び第２の機器のコンビネーションシステムはＤＶＤＰ及びＶＣＲのコンビネーションシステムに限定されたことはなくて、第１の機器はＤＴＶ（Ｄｉｇｉｔａｌ  ＴＶ）であり、第２の機器はＶＣＲであるコンビネーションシステムであることもでき、多様な形態のコンビネーションシステムが可能である。
【００４４】
図３は、図２のコンビネーションシステムの駆動情報の補償方法を説明するための面である。ここで、コンビネーションシステムの駆動情報の補償方法は、図２を参照してＤＶＤＰ／ＶＣＲコンビネーションシステムの駆動情報の補償方法を例として説明する。
【００４５】
コンビネーションシステムが出荷された後にＤＶＤＰ駆動情報またはＶＣＲ駆動情報に異常が見つかった場合、ＤＶＤＰ／ＶＣＲコンビネーションシステムの操作者は補償しようとするＤＶＤＰ修正情報またはＶＣＲ修正情報をＤＶＤに記録してＤＶＤデッキ部２２１に差し込む。
【００４６】
ＤＶＤデッキ部２２１は挿入されたＤＶＤからＤＶＤＰ修正情報及びＶＣＲ修正情報を読出する（Ｓ３０１）。ＤＶＤＰ制御部２２３ａは読出されたＤＶＤＰ修正情報及びＶＣＲ修正情報を分けて、分けられたＤＶＤＰ修正情報及びＶＣＲ修正情報を領域分離保存部２２５に各々備わったＤＶＤＰ修正情報領域及びＶＣＲ修正情報領域に保存させる（Ｓ３０３）。
【００４７】
リセット検知部２２６はＤＶＤＰ／ＶＣＲコンビネーションシステムのリセットを検知する（Ｓ３０５）。リセット検知部２２６によってＤＶＤＰ／ＶＣＲコンビネーションシステムのリセットが検知されると、ＤＶＤＰ制御部２２３ｂはリセット検知部２２６からリセット検知信号を受信して、受信されたリセット検知信号に対応して領域分離保存部２２５に保存されたＤＶＤＰ修正情報をＶＣＲ修正情報保存部２１５に伝送する（Ｓ３０７）。こういうわけで、ＤＶＤＰ制御部２２３ｂはＤＶＤＰ／ＶＣＲコンビネーションシステムがリセットなる場合ごとに領域分離保存部２２５にＶＣＲ修正情報が保存されているかを検索して、検索されたＶＣＲ修正情報をＶＣＲ修正情報保存部２１５に伝送するようになる。
【００４８】
ＶＣＲ修正情報保存部２１５は受信されたＶＣＲ修正情報を保存する（Ｓ３０９）。ディスプレイ２１６はＶＣＲ駆動情報保存部２１４ａに保存されたＶＣＲ駆動情報を表示する（Ｓ３１１）。ディスプレイ２１６によるＶＣＲ駆動情報の表示はＶＣＲ駆動情報によるＶＣＲ部２０５の駆動中に実行されたりＤＶＤＰ／ＶＣＲコンビネーションシステムの操作者による表示命令によって実行される。
【００４９】
ディスプレイ２１６に表示されたＶＣＲ駆動情報に異常が見つかると、ＤＶＤＰ／ＶＣＲコンビネーションシステムの操作者はディスプレイ２１６に表示されたＶＣＲ駆動情報を見ながら転換区間設定部２１９を通じてＶＣＲ駆動情報に対して転換区間を設定する（Ｓ３１３）。この場合、ＶＣＲ駆動情報の転換区間はＶＣＲ駆動情報の修正するための領域の開始アドレスと終了アドレスを指定して設定される。また、ＤＶＤＰ／ＶＣＲコンビネーションシステムの操作者は転換信号入力部２１０を通じてＶＣＲ駆動情報保存部２１４ａに保存されたＶＣＲ駆動情報によるＶＣＲ部２０５の駆動からＶＣＲ修正情報保存部２１５に保存されたＶＣＲ修正情報によるＶＣＲ部２０５の駆動に切り替えるための転換信号を入力する（Ｓ３１５）。
【００５０】
転換信号入力部２１０を通じて転換信号が入力されると、アドレス検索部２１４ｃはＶＣＲ修正情報保存部２１５から転換区間のアドレスと一致される修正情報のアドレスを検索する（Ｓ３１７）。アドレス検索部２１４ｃによって転換区間のアドレスと一致される修正情報のアドレスが検索なると、ＶＣＲ制御部２１４ｂは転換区間と対応される修正情報、即ち、検索されたアドレス区間の修正情報でＶＣＲ部２０５を駆動させる（Ｓ３１９）。転換区間に対応される修正情報区間によるＶＣＲ部２０５の駆動が終ると、ＶＣＲ制御部２１４ｂはまたＶＣＲ駆動情報保存部２１４ａに保存されたＶＣＲ駆動情報によってＶＣＲ部２０５を駆動させる。この場合、復帰される駆動情報の始点は転換区間の終了地点に当たるアドレスになる（図４参照）。
【００５１】
以上のように、本発明によるＤＶＤＰ／ＶＣＲコンビネーションシステムは、ＶＣＲワンチップ内のＶＣＲ駆動情報保存部に保存された駆動情報に異常が発生された場合、ＶＣＲワンチップ自体を入れ替がなしに簡単にＶＣＲ駆動情報を補償できるようになる。
【００５２】
一方、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【図面の簡単な説明】
【００５３】
【図１】従来の技術によるＤＶＤＰ／ＶＣＲコンビネーションシステムを概略的に示すブロック図である。
【図２】本発明によるＤＶＤＰ／ＶＣＲコンビネーションシステムを概略的に示すブロック図である。
【図３】図２による駆動情報の補償方法を示すフローチャートである。
【図４】図３の理解のために示す図である。
【符号の説明】
【００５４】
１１０、２０５  ＶＣＲ部
１２０、２２０  ＤＶＤＰ部
１１４、２１４  ＶＣＲワンチップ
１２３、２２３  ＤＶＤＰワンチップ
２１０    転換信号入力部
２１４ａ  ＶＣＲ駆動情報保存部
２１４ｂ  ＶＣＲ制御部
２１４ｃ  アドレス検索部
２１５    ＶＣＲ修正情報保存部
２１９    転換区間設定部
【図１】
2005056546.tif 000003
【図２】
2005056546.tif 000004
【図３】
2005056546.tif 000005
【図４】
2005056546.tif 000006